(57)【要約】【目的】  再生装置にて再生された信号を投写型映像表示装置やスピーカ装置にコード無しで供給することができる再生システムを提供する。【構成】  ＤＶＤプレーヤー１は液晶プロジェクタ２の例えば背面側に設けられた映像・音声入力端子（コネクタ部）にコード無しで直接に装着される。液晶プロジェクタ２は入力映像信号に基づいて映像投写を行うと共に入力音声信号を無線送出する無線送信ユニット２Ａがコード無しで直接に装着されるように構成されている。スピーカ装置３には無線受信ユニット３Ａが取り付けられており、受信した音声信号に基づいて音声出力を行う。【選択図】        図１
2005073157.tif 000002
【特許請求の範囲】
【請求項１】
再生装置と、投写型映像表示装置と、スピーカ装置と、から成る再生システムであって、前記再生装置は前記投写型映像表示装置の映像・音声入力端子にコード無しで装着され、前記投写型映像表示装置は、入力映像信号に基づいて映像投写を行うと共に入力音声信号を無線送出する無線送信部を有し、前記スピーカ装置は、無線受信部を有し、受信した音声信号に基づいて音声出力を行うように構成されたことを特徴とする再生システム。
【請求項２】
請求項１に記載の再生システムにおいて、前記再生装置はアダプタを介して投写型映像表示装置に装着されるように構成されたことを特徴とする投写型映像表示装置。
【請求項３】
請求項１又は請求項２に記載の再生システムにおいて、前記投写型映像表示装置にはユニット化された前記無線送信部が着脱自在に設けられることを特徴とする再生システム。
【請求項４】
請求項１乃至請求項３のいずれかに記載の再生システムにおいて、前記スピーカ装置にはユニット化された前記無線受信部が着脱自在に設けられることを特徴とする再生システム。
【請求項５】
請求項１乃至請求項４のいずれかに記載の再生システムにおいて、前記無線送信部と前記無線受信部とが無線ネットワークにて接続され、前記投写型映像表示装置は、音声の出力系統を切り替えるスイッチを備え、前記無線ネットワークで接続が確立できない場合には音声信号を前記無線送信部へは供給せずに有線接続されたスピーカ又は内蔵スピーカへ供給するように構成されたことを特徴とする再生システム。
【発明の詳細な説明】
【技術分野】
【０００１】
この発明は、映像及び音声を再生する再生システムに関する。
【背景技術】
【０００２】
従来より、ホームシアターにおける映像表示装置として液晶プロジェクタが利用され、この液晶プロジェクタに再生装置であるＤＶＤプレーヤー等から映像信号及び音声信号を供給することが行われている。更に、近年においては、ＡＶコードを無くす目的でＤＶＤプレーヤーと液晶プロジェクタの双方に無線部を設けたワイヤレスシステムも提案されている。このようなワイヤレスシステムを構成しない場合、図３（ａ）に示しているように、ＡＶコードで音声信号と映像信号を液晶プロジェクタに供給し、液晶プロジェクタの内蔵スピーカで音声出力するシステム、同図（ｂ）に示しているように、映像信号のみを液晶プロジェクタに供給し、音声信号はＤＶＤプレーヤーから無線で外部スピーカに送信するシステム、或いは、同図（ｃ）に示すように、映像信号のみを液晶プロジェクタに供給し、音声信号はＤＶＤプレーヤーに有線接続された外部スピーカに供給するシステムなどが考えられる。また、ホームシアターモード時に、外付けスピーカが駆動されるシステムも提案されている（特許文献１参照）。
【特許文献１】特開平１１−２７５６８４号公報
【発明の開示】
【発明が解決しようとする課題】
【０００３】
しかしながら、音声信号と映像信号の両方を無線で送受するシステム以外はコードが必要になるため、その接続作業が煩わしく、また、部屋の美観を損ねることにもなる。
【０００４】
この発明は、上記の事情に鑑み、再生装置にて再生された信号を投写型映像表示装置やスピーカ装置にコード無しで供給することができる再生システムを提供することを目的とする。
【課題を解決するための手段】
【０００５】
この発明の再生システムは、上記課題を解決するために、再生装置と、投写型映像表示装置と、スピーカ装置と、から成る再生システムであって、前記再生装置は前記投写型映像表示装置の映像・音声入力端子にコード無しで装着され、前記投写型映像表示装置は、入力映像信号に基づいて映像投写を行うと共に入力音声信号を無線送出する無線送信部を有し、前記スピーカ装置は、無線受信部を有し、受信した音声信号に基づいて音声出力を行うように構成されたことを特徴とする。
【０００６】
上記の構成であれば、再生装置は投写型映像表示装置の映像・音声入力端子にコード無しで直接に装着される。すなわち、これらの間の接続にはコードは不要である。更に、スピーカ装置への音声信号供給は投写型映像表示装置の側から無線送信部及び無線受信部を介して行われるので、これらの間の接続においてもコードは不要となる。
【０００７】
前記再生装置はアダプタを介して投写型映像表示装置に装着されるように構成されていてもよい。また、前記投写型映像表示装置にはユニット化された前記無線送信部が着脱自在に設けられる構成としてもよい。また、前記スピーカ装置にはユニット化された前記無線受信部が着脱自在に設けられる構成としてもよい。また、前記無線送信部と前記無線受信部とが無線ネットワークにて接続され、前記投写型映像表示装置は、音声の出力系統を切り替えるスイッチを備え、前記無線ネットワークで接続が確立できない場合には音声信号を前記無線送信部へは供給せずに有線接続されたスピーカ又は内蔵スピーカへ供給するように構成されていてもよい。
【発明の効果】
【０００８】
以上説明したように、この発明によれば、再生装置にて再生された信号を投写型映像表示装置やスピーカ装置にコード無しで供給することができるという効果を奏する。
【発明を実施するための最良の形態】
【０００９】
以下、この発明の実施形態の再生システムを図１及び図２に基づいて説明していく。図１（ａ）はこの実施形態の再生システムを示したブロック図である。この再生システムは、再生装置であるＤＶＤプレーヤー１と、投写型映像表示装置である液晶プロジェクタ２と、スピーカ装置３とから成る。そして、ＤＶＤプレーヤー１は液晶プロジェクタ２の例えば背面側に設けられた映像・音声入力端子（コネクタ部）にコード無しで直接に装着されるように構成されており、前記液晶プロジェクタ２は入力映像信号に基づいて映像投写を行うと共に入力音声信号を無線送出する無線送信ユニット２１がコード無しで直接に装着されるように構成されており、前記スピーカ装置３は無線受信ユニット３１がコード無しで直接に接続されるように構成されており、受信した音声信号に基づいて音声出力を行う。以下、これらを具体的に説明していく。
【００１０】
図２に示すように、ＤＶＤプレーヤー１は電源部１ａ及び電源コネクタ部を有しており、液晶プロジェクタ２に装着された状態で当該液晶プロジェクタ２の電源部２ｇから前記電源部１ａに電力供給が行われるようになっている。ＤＶＤプレーヤー１の操作パネルのプレイボタンを押下すると、再生処理が行われ、再生によって得られた符号映像・音声は復号され更にＤ／Ａ変換がなされて映像信号及び音声信号が生成され、これらが映像・音声入力端子（コネクタ部）からコード無しで液晶プロジェクタ２に供給される。なお、ＤＶＤプレーヤー１は、液晶プロジェクタ２専用のものとして構成されている。
【００１１】
液晶プロジェクタ２のビデオ処理部２ａはＤＶＤプレーヤー１から供給された映像信号に対して周波数変換処理やガンマ補正などの各種の処理を行い、液晶ドライブ信号を生成して液晶パネル部２ｂを駆動する。スイッチ２ｃは、ＤＶＤプレーヤー１から供給された音声信号を外部の有線接続されたスピーカ装置４に供給するか無線送信ユニット２１に供給するかを切り替える。この切替の制御信号は制御部２ｅから与えられる。制御部２ｅは、ＤＶＤ装着検出部２ｄから非装着信号を受けたときには、音声信号をスピーカ装置４に供給させ、装着信号を受けたときには、音声信号を無線送信ユニット２１に供給させるようスイッチ２ｃの制御を行う。ＤＶＤ装着検出部２ｄは、例えば、装着時の導体接触を検出する電気的検出手法、装着時の光の透過／遮断を検出する光学的検出手法、装着時の機械的スイッチ押下を検出する機械的検出手法等により、ＤＶＤプレーヤー１の装着（コネクタ接続）を検出する（特開平３−２０４７１３号公報、特開昭６１−２９６３８３号公報等参照）。また、液晶プロジェクタ２には、前記制御部２ｅに接続された手動／自動切替スイッチ２ｆが設けられている。ユーザ操作で自動が選択されると、前記ＤＶＤ装着検出部２ｄの出力が制御部２ｅにおいて有効化される。一方、手動が選択されると、手動の操作（図示しないボタンやスイッチ操作）でスイッチ２ｃを切り替えることができる。手動／自動切替スイッチ２ｆは液晶プロジェクタ２の筐体側に設けておいてもよいし、液晶プロジェクタ用のリモコン送信機５に設けておいてもよい。
【００１２】
スピーカ装置４は、液晶プロジェクタ２から供給される音声信号をオーディオアンプ４ａにて増幅し、スピーカ４ｂを駆動する。このスピーカ装置４はホームシアター用のスピーカ装置３とは異なるものであり、例えば液晶プロジェクタ２の付属品などである。
【００１３】
無線送信ユニット２１は、電源部２１ｄ及び電源コネクタ部を有しており、液晶プロジェクタ２に装着された状態で当該液晶プロジェクタ２の電源部２ｇから前記電源部２１ｄに電力が供給されるようになっている。無線送信ユニット２１のＡ／Ｄ変換回路２１ａは液晶プロジェクタ２から供給された音声信号をディジタル化してオーディオエンコーダ２１ｂに与える。オーディオエンコーダ２１ｂは受け取ったディジタルの音声データに対して符号化処理を行って無線部２１ｃに供給する。無線部２１ｃは受け取った符号化音声データにて所定の周波数の電波をディジタル変調して送信する。なお、無線送信ユニット２１は、液晶プロジェクタ２専用のものとして構成されている。
【００１４】
無線受信ユニット３１の無線部３１ａは、ディジタル変調された電波を受信して復調処理を行って符号化音声データを生成し、この符号化音声データをオーディオデコーダ３１ｂに供給する。オーディオデコーダ３１ｂは符号化音声データの復号処理を行って音声データを生成し、この音声データをＤ／Ａ変換器３１ｃに供給する。Ｄ／Ａ変換器３１ｃは音声データをアナログの音声信号に変換し、音声出力端子に接続されているスピーカ装置３に供給する。なお、無線受信ユニット３１の電源部３１ｄは外部のＡＣアダプタ６から電力供給を受ける。また、無線送信ユニット２１は、スピーカ装置３専用のものとして構成されている。
【００１５】
スピーカ装置３は、無線受信ユニット３１から供給される音声信号をオーディオアンプ３ａにて増幅し、スピーカ３ｂを駆動する。スピーカ装置３はホームシアター用のものである。
【００１６】
上記の構成であれば、ＤＶＤプレーヤー１は液晶プロジェクタ２の映像・音声入力端子（コネクタ部）にコード無しで直接に装着されるので、これらの間の接続にはＡＶコードは不要になる。更に、ホームシアター用のスピーカ装置３への音声信号供給は液晶プロジェクタ２の側から無線送信ユニット２１及び無線受信ユニット３１を介して行われるので、これらの間の接続においてもコードは不要となる。すなわち、ＤＶＤプレーヤー１にて再生された映像・音声はコード無しで液晶プロジェクタ２に与えられてその投写システムにより映像表示が行われる一方で、音声信号については液晶プロジェクタ２から無線でホームシアター用のスピーカ装置３へ送信されて迫力のある音声出力が行われる。なお、映像についての無線送出は行わないので、例えば、ＤＶＤプレーヤーから映像を液晶プロジェクタへ無線送出する構成を採る場合に比べて低コスト化が図りやすく、映像劣化も生じにくい。
【００１７】
上記構成例では、スピーカ装置３に無線受信ユニット３１を装着する構成を採用したが、スピーカ装置３に無線受信ユニット３１が内蔵される構成としてもよい。また、液晶プロジェクタ２に無線送信ユニット２１を装着する構成を採用したが、液晶プロジェクタに無線送信ユニット２１が内蔵される構成としてもよいものである。また、スイッチ２ｃによって外部のスピーカ装置４に音声信号を供給し得ることとしたが、内蔵のスピーカ装置に音声信号を供給する構成としてもよい。
【００１８】
また、無線送信ユニット２１と無線受信ユニット３１においてはディジタルの音声データの送受信を行うこととしており、無線ＬＡＮを用いたデータ伝送方式を採用できる。無線ＬＡＮを用いる場合には、通信相手機との間での接続確立の確認が行えるので、液晶プロジェクタ２の制御部２ｅは、上記接続確立の確認が行えた場合に（無線部２１ｃから接続確認を示す信号がコネクタを介して制御部２ｅに供給された場合に）、スイッチ２ｃを切り替えて音声信号を無線送信ユニット２１に供給するといった制御を行うことができる。なお、無線送信ユニット２１及び無線受信ユニット３１として無線ＬＡＮカードを用いてもよい。
【００１９】
また、制御部２ｅとＤＶＤプレーヤー１のマイクロコンピュータとが当該ＤＶＤプレーヤー１の装着時に例えば、ＵＳＢ接続、ＩＥＥＥ１３９４接続等されるように構成することもできる。そして、液晶プロジェクタ２のリモコン送信機５において、例えば「プレイ」「ストップ」といったキーを設けておいて当該キーが押下されたことを制御部２ｅで検出したときに、前記コネクタを介してＤＶＤプレーヤー１のマイクロコンピュータに、「プレイ」「ストップ」といった指令を与え、当該指令を受けたＤＶＤプレーヤー１側では指令に従った処理を実行する構成とすることができる。すなわち、装着されたＤＶＤプレーヤー１を液晶プロジェクタ２の側から制御する構成を採用できる。勿論、規格化された接続形式ではなく、独自のコンピュータ間接続方式を採用できる。
【００２０】
また、図１（ｂ）に示しているように、アダプタ１０を液晶プロジェクタ２の背面側にコネクタ接続し、このアダプタ１０に汎用のＤＶＤプレーヤー１′を接続する構成としてもよい。アダプタ１０は、例えば各機種のＤＶＤプレーヤーごとに用意されるものとし、対応機種のＡＶ端子に応じた位置でプラグ部を有するように構成し、このプラグに接続された信号線が液晶プロジェクタ２のＡＶ端子に接続される構成とすればよい。また、液晶プロジェクタ２及びＤＶＤプレーヤーの双方にディジタル入出力端子が備えられているのであれば、アダプタ１０も当該ディジタル入出力端子に対応した構成とすればよい。
【図面の簡単な説明】
【００２１】
【図１】同図（ａ）はこの発明の実施形態の再生システムの概略構成を示した説明図であり、同図（ｂ）は変形例を示した説明図である。
【図２】この発明の実施形態の再生システムを構成する各構成要素の構成を示したブロック図である。
【図３】同図（ａ）（ｂ）（ｃ）は従来システム構成を示した説明図である。
【符号の説明】
【００２２】
１    ＤＶＤプレーヤー
２    液晶プロジェクタ
２１  無線送信ユニット
３    スピーカ装置
３１  無線受信ユニット
４    スピーカ装置
５    リモコン送信機
１０  アダプタ
【図１】
2005073157.tif 000003
【図２】
2005073157.tif 000004
【図３】
2005073157.tif 000005